(57)【要約】【課題】一台の電気掃除機で用途、目的に応じてサイクロン集塵方式と紙パック集塵方式の選択を行うことのできる、使い勝手の良い電気掃除機を得る。【解決手段】電動送風機１２の吸込側と吸込具３に連通して設けられ、掃除機本体２から取り外し可能な集塵ケース１１を備え、集塵ケース１１は吸込具３に連通する導入口１３、電動送風機１２の吸込側に開口部を有する集塵ケース本体１４と、この集塵ケース本体１４の開口部を開閉する蓋１５と、集塵ケース本体１４内に着脱可能なサイクロンシステムを構成するサイクロン式集塵アセンブリー９、及び、紙パックアセンブリー３２を備え、サイクロン式集塵アセンブリー１９と紙パックアセンブリー３２を互いに交換可能としたものである。【選択図】図４
2006043203.tif 000002
【特許請求の範囲】
【請求項１】
電動送風機の吸込側と吸込具に連通して設けられ、掃除機本体から取り外し可能な集塵ケースを備え、
前記集塵ケースは、
前記吸込具に連通する導入口、前記電動送風機の吸込側に開口部を有する集塵ケース本体と、
この集塵ケース本体の前記開口部を開閉する蓋と、
前記集塵ケース本体内に着脱可能なサイクロンシステムを構成するサイクロン式集塵アセンブリー、及び、紙パックアセンブリーを備え、
前記サイクロン式集塵アセンブリーと前記紙パックアセンブリーを互いに交換可能としたことを特徴とする電気掃除機。
【請求項２】
前記サイクロン式集塵アセンブリーと前記紙パックアセンブリーに、各々集塵ケース本体のケース本体側係止部に係止される係止部を設け、前記各々の係止部を同一形状、同一位置に配設し、脱着方法を同一としたことを特徴とする請求項１記載の電気掃除機。
【請求項３】
前記紙パックアセンブリーは、紙パックとこの紙パックを保持する保持体からなることを特徴とする請求項１または２記載の電気掃除機。
【請求項４】
前記紙パックアセンブリーを、紙パックのみとしたことを特徴とする請求項１または２記載の電気掃除機。
【請求項５】
前記集塵ケースは、
ハンドルと、
集塵ケース外側と前記集塵ケースが収納される掃除機本体の集塵ケース収納部とに各々互いに係合するガイド手段と、
前記集塵ケースの前記集塵ケース収納部へのセットを完了したときに、前記集塵ケースのハンドル端部と前記集塵ケース収納部を互いにロックするロック機構部と、
を備えたことを特徴とする請求項１乃至４のいずれかに記載の電気掃除機。
【請求項６】
前記ロック機構部をハンドル近傍に備えたことを特徴とする請求項５記載の電気掃除機。
【請求項７】
ガイド手段をロック機構部近傍に備えたことを特徴とする請求項５または６記載の電気掃除機。
【請求項８】
掃除機本体側のガイド手段を、電気掃除機本体の集塵ケース収納部の吸込口側に設けたことを特徴とする請求項５乃至７のいずれかに記載の電気掃除機。
【発明の詳細な説明】
【技術分野】
【０００１】
この発明は、掃除機本体より取外し可能な集塵ケースを有する電気掃除機に関する。
【背景技術】
【０００２】
従来の集塵ケースを有する電気掃除機としてサイクロン集塵を行うものと紙パックによる集塵を行うものが存在した。例えば、サイクロン集塵方式の電気掃除機は、その集塵ケースに塵埃を遠心分離する分離室が設けられ、分離室内で塵埃を含む清掃気流を回転させて、遠心力によって塵埃を清掃気流から分離するものであった（例えば、特許文献１参照）。
【０００３】
【特許文献１】特許第３３６５４１０号公報（段落００２２〜００４８、図２〜６）
【０００４】
これに対し、従来の集塵ケースを有する紙パック方式の電気掃除機では、集塵ケース内にセットされた紙パックに清掃気流を通し、紙パックのろ過作用により集塵を行うものであった（例えば、特許文献２参照）。
【０００５】
【特許文献２】特開２００２−１７６２８号公報（段落００１５〜００２６、図１〜６）
【発明の開示】
【発明が解決しようとする課題】
【０００６】
サイクロン集塵を行う従来の電気掃除機は、気流の回転力により集塵を行うことができるので、掃除機を使用していても集塵のために購入しなければならない紙パックなどの消耗部品が不要なため、ランニングコストが抑えられ使用者にお得感を与えることができるものの、集塵を行う分離室や分離された塵埃を収容する塵埃収容室などの集塵ケースを構成する部材、特に各フィルターのメンテナンスが面倒であった。
【０００７】
これに対して紙パック集塵を行う従来の電気掃除機は、塵埃を収納する紙パックがいっぱいになると紙パックごと塵埃を捨てることができるため、メンテナンスは比較的簡単であるものの、紙パックに塵埃が溜まってくると、吸込み力が低下したり、紙パック内に収容されたごみを清掃気流が通過して排気されるため、紙パック内に収容された塵埃によっては異臭が発生してしまう恐れも考えられるものであった。また、紙パックの交換が面倒であると共に、紙パックの交換費用が発生するという問題があった。
【０００８】
このように、サイクロン集塵と紙パック集塵は一長一短があり、用途、目的に応じて、例えばメンテナンスを簡単にしたいときは紙パック集塵とし、紙パックの交換作業を行いたくないときや、ランニングコストを抑えたいときはサイクロン集塵を選択する等の使用方法も考えられる。しかしそのためには、サイクロン集塵の電気掃除機と紙パック集塵の電気掃除機の２台が必要になってしまう。通常一般家庭では、掃除機を２台購入するようなことは行わず、購入時にどちらのタイプにするか選択して購入するため、購入後に用途や目的に応じて、このような集塵方式を選択することは困難であった。
【０００９】
この発明は、上述のような課題を解決するためになされたもので、一台の電気掃除機で用途、目的に応じてサイクロン集塵方式と紙パック集塵方式の選択を使用者が行うことのできる、使い勝手の良い電気掃除機を得ることを目的とする。
【課題を解決するための手段】
【００１０】
この発明に係る電気掃除機は、電動送風機の吸込側と吸込具に連通して設けられ、掃除機本体から取り外し可能な集塵ケースを備え、前記集塵ケースは、前記吸込具に連通する導入口、前記電動送風機の吸込側に開口部を有する集塵ケース本体と、この集塵ケース本体の前記開口部を開閉する蓋と、前記集塵ケース本体内に着脱可能なサイクロンシステムを構成するサイクロン式集塵アセンブリー、及び、紙パックアセンブリーを備え、前記サイクロン式集塵アセンブリーと前記紙パックアセンブリーを互いに交換可能としたものである。
【発明の効果】
【００１１】
この発明によれば、集塵ケース本体内に着脱可能なサイクロンシステムを構成するサイクロン式集塵アセンブリー、及び、紙パックアセンブリーを備え、サイクロン式集塵アセンブリーと紙パックアセンブリーを互いに交換可能としたので、一台の電気掃除機で用途、目的に応じて使用者がサイクロン集塵方式と紙パック集塵方式の選択を行うことのできる、使い勝手の良い電気掃除機を提供することができる。
【発明を実施するための最良の形態】
【００１２】
実施の形態１．
以下、本発明の一実施形態を用いて本発明を詳しく説明する。図１はこの発明の実施の形態１を示す電気掃除機の外観図である。同図に示すように、本実施形態にかかる電気掃除機１は、清掃気流を発生させる電動送風機を内部に有する掃除機本体２と、被清掃面から塵埃を吸引するための吸込具３と、吸引された塵埃を本体に導入する吸込風路４を形成する延長管５及びホース６を備えている。吸込具３は延長管５の一端側先端に取り付けられ、延長管５の他端は、ホース６の一端側に設けられた手元ハンドル７と連結されている。またホース６の他端側には本体接続部８が設けられており、この本体接続部８によって掃除機本体２に接続される。
【００１３】
図２は本実施形態における電気掃除機本体の側面図である。同図に示すように、掃除機本体２には前方上方に開閉可能な本体蓋９が設けられており、本体蓋９により開閉可能な本体内部には集塵ケース収納部１０が形成されている。この集塵ケース収納部１０に集塵ケース１１が掃除機本体２の本体蓋９を開いて取外し可能に装着されている。また掃除機本体２の集塵ケース収納部１０の後方には吸引風を生じさせる電動送風機１２等が内蔵されている。集塵ケース１１は掃除機本体２のホース接続口と電動送風機１２の間に位置するように配置されている。本実施形態における集塵ケース１１を図３に示す。
【００１４】
図３は、本実施形態における集塵ケースの斜視図である。同図に示すように、集塵ケース１１は、前面に掃除機本体２に設けられたホース接続口に対向するように形成された導入口１３及び裏面に開口部を有する断面略台形の集塵ケース本体１４と、集塵ケース本体１４裏面の開口部を閉塞する蓋１５を備えている。また集塵ケース本体１４の上方にはハンドル１６が形成されている。
【００１５】
図４は集塵ケース１１の前方より側面から見た分解斜視図、図５は集塵ケース１１の後方より側面から見た分解斜視図である。同図に示すように、本実施形態における集塵ケース１１は、蓋１５がフィルター部１７と枠部１８とから構成されており、集塵ケース１１内に導入された気流はフィルター部１７を通して集塵ケース１１の後方に排出されるようになっている。また、フィルター部１７は枠部１８より取り外し可能で、フィルター部１７が塵埃により汚れてしまったときなどは取り外して清掃するなどのメンテナンスが可能となっている。また、集塵ケース本体１４内部にはサイクロン式集塵アセンブリー１９が取り外し可能に備えられている。
【００１６】
図６はサイクロン式集塵アセンブリー１９の斜視図である。図６に示す、サイクロン式集塵アセンブリー１９は、集塵ケース１１内にセットした際に、導入口１３を通過した含塵気流を遠心分離する旋回室と、旋回室で遠心分離された塵埃を蓄積するための塵埃室を形成するためのものである。このためサイクロン式集塵アセンブリー１９は、集塵ケース本体１４の内側の導入口１３側に旋回室形成部２０が形成され、導入口１３側の反対側はサイクロン式集塵アセンブリー１９の塵埃室形成部２１が形成されており、その間にはサイクロン式集塵アセンブリー１９を集塵ケース本体１４内にセットしたときに前述の旋回室と塵埃室を連通口を介して連通させた状態で隔てる隔壁２２が設けられている。
【００１７】
図７は図４、図５の状態の断面を示す断面図である。図７に示すように、サイクロン式集塵アセンブリー１９は、集塵ケース本体１４にセットした際に、集塵ケース本体１４に係止されてサイクロン式集塵アセンブリー１９を保持する係止用凸部２３、サイクロン式集塵アセンブリー１９の集塵ケース本体１４着脱時に指を挿入して使用可能な引っかけ穴２４が設けられた保持部２５を有している。
【００１８】
これに対し、集塵ケース本体１４には、サイクロン式集塵アセンブリー１９の保持部２５に備えられた係止用凸部２３が係止される係止用凹部２６が設けられている。これらは、サイクロン式集塵アセンブリー１９を集塵ケース本体１４にセットした際に互いに係合し合い、集塵ケース本体１４内にサイクロン式集塵アセンブリー１９を保持するものである。
【００１９】
また、集塵ケース１１には、ハンドル１６の後部に、蓋１５を開けるためのボタン２７を有している。ボタン２７は、ロック爪２８を有する尾錠となっており、蓋１５にはロック爪２８に係合するヒンジ２９が設けられている。
【００２０】
図８は集塵ケース１１にサイクロン式集塵アセンブリー１９をセットした状態を示す断面図である。サイクロン式集塵アセンブリー１９を集塵ケース本体１４に取り付けるときは、保持部２５の引っかけ穴２４と塵埃室形成部２１の外側をつまんで、集塵ケース本体１４に挿入し、保持部２５の係止用凸部２３を集塵ケース本体１４の係止用凹部２６に係合させて固定する。この状態で蓋１５を閉塞すると、集塵ケース本体１４の内側の導入口１３側に旋回室形成部２０によって旋回室３０が形成され、導入口１３側の反対側はサイクロン式集塵アセンブリー１９の塵埃室形成部２１によって集塵室３１が形成される。  このようにサイクロン式集塵アセンブリー１９を集塵ケース１１にセットした状態で電動送風機１２を運転すると、吸込具３から吸引された塵埃を含んだ空気流は延長管５とホース６による吸込風路４を通って集塵ケース１１の導入口１３を通り、旋回室３０へ流入する。旋回室３０へ侵入した空気は旋回室３０で強い旋回渦流となり、旋回渦流によって発生する遠心力で質量の重い砂ごみ等の塵粒は隔壁２２により形成される連通口を通過して集塵室３１に流入し、また、繊維質の質量の軽い塵埃は気流と一緒になって、集塵室３１に流入する。そして、蓋１５のフィルター部１７で塵埃が濾過された後、電動送風機１２に吸引され、排気となって掃除機本体２の外へ排出される。
【００２１】
集塵ケース１１内部に溜まった塵埃等を廃棄する際には、掃除機本体２の本体蓋９を開き、ハンドル１６を手で持って集塵ケース１１を持ち上げ、掃除機本体２の集塵ケース収納部１０から取り外し、集塵ケース１１のボタン２７を押すと、蓋１５が開き、集塵室３１に収容された塵埃を捨てることができる。
【００２２】
また、このような形態におけるメンテナンスとしてはサイクロン式集塵アセンブリー１９や集塵ケース１１の汚れが目立ってきたときには、サイクロン式集塵アセンブリー１９を取り外して、集塵ケース本体１４や、サイクロン式集塵アセンブリー１９に付着した塵埃を取り除けばよい。このように集塵における消耗品が不要となる。また、蓋１５に設けられたフィルター部１７のメンテナンスも同様で、汚れが目立ってきたときには枠部１８よりフィルター部１７を取り外し付着した塵埃を取り除けばよい。
【００２３】
次に、集塵ケースに紙パックアセンブリーを装着して使用する場合について説明する。
図９は集塵ケースの蓋を開き紙パックアセンブリーを取り外した状態の斜視図である。同図に示すように本実施形態における電気掃除機１では、サイクロン式集塵アセンブリー１９を集塵ケース１１から取り外し、代わりに紙パックアセンブリー３２を取り付けることが可能である。
【００２４】
図１０は紙パックアセンブリーの斜視図である。同図に示すように紙パックアセンブリー３２は紙パック保持体３３と紙パック３４からなり、紙パック３４はフィルター袋３５と集塵ケース１１の導入口１３と略同じ大きさかそれより若干大きな穴を有する台紙３６からなる。紙パック保持体３３は、紙パック３４の台紙３６を保持する紙パック台紙取付部３７、台紙３６を挟むクランプ３８、紙パック台紙取付部３７の両端辺から立設され集塵ケース本体１４に保持される保持部３９、４０からなり、保持部３９には、集塵ケース本体１４に係止される係止用凸部４１、着脱時に指を挿入して使用可能な引っかけ穴４２が設けられている。なお、図１０では、説明しやすいように紙パック３４のフィルター袋３５を省いて台紙３６のみを記載している。
【００２５】
紙パックアセンブリー３２の保持部３９、保持部３９が有する係止用凸部４１、引っかけ穴４２は、図５に示したサイクロン式集塵アセンブリー１９の保持部２５、保持部２５が有する係止用凸部２３、引っかけ穴２４と各々同一形状であり、同一位置に配設されている。
【００２６】
図１１は図９の断面図である。なお、図１１においても、説明しやすいように紙パック３４のフィルター袋３５を省いて台紙３６のみを記載している。紙パックアセンブリー３２を集塵ケース本体１４に取り付けるときは、図１１に示す保持部３９の引っかけ穴４２と保持部４０をつまんで、集塵ケース本体１４に挿入し、保持部３９の係止用凸部４１を集塵ケース本体１４の係止用凹部２６に係合させて固定する。そして集塵ケース本体１４内に紙パックアセンブリー３２が装着されると、図８と同様に、紙パックアセンブリー３２の保持部３９、係止用凸部４１は、サイクロン式集塵アセンブリー１９の保持部２５、係止用凸部２３と同じように集塵ケース本体１４にセットされる。
【００２７】
このような状態で電動送風機１２を運転状態にすると、吸込具３から吸引された塵埃を含んだ空気流は延長管５とホース６を通って集塵ケース１１の導入口１３を通り、紙パック３４で塵埃が濾過された後、電動送風機１２に吸引され、排気となって掃除機本体２の外へ排出される。
【００２８】
紙パック３４がいっぱいになったときには、掃除機本体２の本体蓋９を開き、ハンドル１６を手で持って集塵ケース１１を持ち上げ、掃除機本体２の集塵ケース収納部１０から取り外す。そして、集塵ケース１１のボタン２７を押すと、蓋１５が開き、紙パックアセンブリーを取り出して、塵埃が溜まった紙パック３４を紙パック保持体３３から取り外して紙パック３４のみを捨てることができる。
【００２９】
以上のように、本実施形態における電気掃除機１は、集塵ケース本体１４内に着脱可能なサイクロンシステムを構成するサイクロン式集塵アセンブリー１９、および、紙パックアセンブリー３２を備え、一台の電気掃除機で用途、目的に応じてこれらを付け替え可能としたので、使用者がサイクロン集塵方式と紙パック集塵方式の選択を行うことのでき、使い勝手を良くすることができる。
【００３０】
また、サイクロン式集塵アセンブリー１９と紙パックアセンブリー３２に、各々集塵ケース本体１４のケース本体側係止部（本実施形態では係止用凹部２６）に係止される係止部（本実施形態では係止用凸部２３、４１）を設け、各々の係止部を同一形状、同一位置に配設し、脱着方法を同一としたので、サイクロン式集塵アセンブリー１９と紙パックアセンブリー３２の差し換え操作及び着脱操作を容易にすることができる。
【００３１】
また、紙パックアセンブリー３２は、紙パック３４とこの紙パック３４を保持する紙パック保持体３３からなるので、集塵ケース１１への紙パックアセンブリー３２の着脱を行い易くできる。また、一般の電気掃除機で使用可能な紙パックを使用することができるようになる。
【００３２】
なお、本実施形態では紙パックアセンブリー３２を、紙パック保持体３３と紙パック３４で構成したが、紙パック３４のみで形成するような構成であってもよい。このような形態とするためには、集塵ケース１１内部に紙パック３４を保持するような構造を設けるか、もしくは紙パック３４の台紙３６を紙パック保持体３３と同様の形状とすることで構成可能である。このように形成することによって、紙パックにごみがたまり紙パックを処分するときに、紙パックアセンブリー３２から紙パック保持体３３をはずし紙パック３４のみを捨てるというような動作を行わずにすみ、集塵ケース１１の蓋１５を開けてそのまま紙パックを処分することが出来、前述の効果に加えてより使い勝手を向上できる。
【００３３】
また、本実施形態における電気掃除機１では、サイクロン式集塵アセンブリー１９と紙パックアセンブリー３２を備えるものの、これらを同時に使用することはない。そのためサイクロン式集塵アセンブリー１９を使用しているときには紙パックアセンブリー３２が、紙パックアセンブリー３２を使用しているときにはサイクロン式集塵アセンブリー１９がそれぞれ使用されないこととなる。このような場合、使用しないほうのアセンブリーをどこか別の場所に保管しておくと、なくしてしまったり、邪魔になったりしてしまうので、電気掃除機１のどこかに使用しないほうのアセンブリーを収納したり、取付保持するアセンブリー収納部を設けておくと、使用しない方のアセンブリーをなくしてしまうことがなく、大変使い勝手を良くすることができる。
【００３４】
実施の形態２．
図１２は電気掃除機の集塵ケースが装着される集塵ケース収納部１０の斜視図、図１３はこの発明の実施の形態２を示す電気掃除機の正面図、図１４は電気掃除機の集塵ケース装着した部分の上面図、図１５は電気掃除機の集塵ケース装着した部分の断面図である。  なお、本実施形態において、集塵ケース１１は実施の形態１で説明したものと同一の物を用いている。図１２において、掃除機本体２内前方に形成された集塵ケース収納部１０の吸込口４３側の両側には、集塵ケース１１を出し入れするときに集塵ケース１１の集塵ケース本体１４の導入口１３上部両側に設けられた一対の凸部４４（図３に図示）が挿入され、凸部４４をガイドする一対のガイド溝４５が設けられている。またさらに掃除機本体２内前方に形成された集塵ケース収納部１０の吸込口４３側には、集塵ケース１１の導入口１３側に面したハンドル１６端部に設けられたロック凸部４６（図３に図示）が挿入されるロック穴４７が設けられている。
【００３５】
この構成において、集塵ケース１１を電気掃除機本体２の集塵ケース収納部１０にセットするときは、図１３に示すように、集塵ケース１１の一対の凸部４４を電気掃除機本体２の集塵ケース収納部１０のガイド溝４５に挿入し下方に押してセットする。本実施形態では、集塵ケース１１が下方に押された際に、もし左右のガイド溝４５から左右どちらかに集塵ケース１１がずれていても押しながら集塵ケース１１の左右位置を左右のガイド溝４５の内側に位置を修正できるよう、凸部４４の先端に斜面が形成されている。このため、使用者が集塵ケース１１の位置を本体２の吸込口４３と集塵ボックス１１の導入口１３の中心位置がずれる等の間違った位置にセットすることが防止される。これにより、集塵ケース１１が間違った位置にセットされることが原因で発生してしまう吸込力の低下や、異音の発生、ゴミ漏れ等のさまざまな問題の発生も防止することが可能である。
【００３６】
また、集塵ケース１１が電気掃除機本体２の集塵ケース収納部１０にセット完了するとき、ケース本体１４のハンドル１６のロック凸部４６が電気掃除機本体２の集塵ケース収納部１０のロック穴４７に入りこむ。このとき、ロック凸部４６がロック穴４７に入りこむときに生じる振動がハンドル１６を握る手に伝わりセット完了を確認できるため、使用者が集塵ケース１１の電気掃除機本体２へのセットが未完了であるにもかかわらずセットが完了したと勘違いすることが防止される。このような構成により図１４、１５に示すように集塵ケース１１を掃除機本体２に確実にセットすることが可能となる。このような確実なセットは、前述同様、使用者が集塵ケース１１の位置を本体２の吸込口４３と集塵ボックス１１の導入口１３の中心位置がずれる等の間違った位置にセットしてしまうことを防止するものとなる。これにより、前述同様、集塵ケース１１が間違った位置にセットされることが原因で発生してしまう吸込力の低下や、異音の発生、ゴミ漏れ等のさまざまな問題の発生も防止することが可能である。
【００３７】
なお、ロック凸部４６を設ける位置は、ハンドル１６の近傍であるほどよい。ハンドル１６の近傍であれば、集塵ケース１１を掃除機本体２にセット完了したときにロック穴４７に入りこむときに生じる振動が使用者にクリック感として認識され、より確実にセット完了を確認できるためである。この位置が遠いと、セット完了時に音はしても、振動が使用者の手に伝わらずクリック感を生むことが出来なくなる。
【００３８】
従来の電気掃除機は、一般に掃除機本体２の集塵ケース収納部１０である凹部内側と集塵ケース１１外側面との間に設けた案内リブがあり、掃除機本体２の集塵ケース収納部１０内側と集塵ケース１１外側面との間に設けたロック機構部が離れた位置に存在する為、セットされた後、集塵ケースのセット完了状態を示すロック機構が掛かり難く、また、ロックが掛からずにセット完了と誤認識し易いという問題があったが、本実施形態における電気掃除機は、集塵ケース１１外側と集塵ケース１１が収納される掃除機本体２の集塵ケース収納部１０とに各々互いに係合するガイド溝４５、集塵ケース１１の集塵ケース収納部１０へのセットを完了したときに、集塵ケース１１のハンドル１６の端部と集塵ケース収納部１０を互いにロックするロック凸部４６とロック穴４７とを備えたので、掃除機本体２に集塵ケース１１をセットするとき、ロックが確実に行え、また、セット完了状態が直接手に伝わり、セット完了を容易に認識することができる。
【００３９】
また、ガイド溝４５をロック穴４７近傍に備えたので、寸法や組立て等のバラッキを抑えやすく、また、ロック機構の追加に伴う荷重の設定を最小限に抑えることができる。また、掃除機本体２側のガイド溝４５を、掃除機本体２の集塵ケース収納部１０の吸込口４３側の上部に設けたので、使用者が目視で確認することができ、よりセットが完了しているかどうかを確認しやすく出来ると共に、集塵ケース１１のセット作業も行いやすくすることが出来る。このように、掃除機本体２に集塵ケース１１をセットするとき、ロックが確実に行えて、使い勝手の良い電気掃除機を得ることができる。
【図面の簡単な説明】
【００４０】
【図１】この発明の実施の形態１を示す電気掃除機の外観図である。
【図２】この発明の実施の形態１を示す電気掃除機本体の側面図である。
【図３】この発明の実施の形態１を示す電気掃除機の集塵ケースの斜視図である。
【図４】この発明の実施の形態１を示す集塵ケース１１の前方より側面から見た分解斜視図である。
【図５】この発明の実施の形態１を示す、集塵ケース１１の後方より側面から見た分解斜視図である。
【図６】この発明の実施の形態１を示すサイクロン式集塵アセンブリーの斜視図である。
【図７】この発明の実施の形態１における、図４、図５の状態の断面を示す断面図である。
【図８】この発明の実施の形態１における集塵ケースにサイクロン式集塵アセンブリーをセットした状態を示す断面図である。
【図９】この発明の実施の形態１における集塵ケースの蓋を開き紙パックアセンブリーを取り外した状態の斜視図である。
【図１０】この発明の実施の形態１における紙パックアセンブリーの斜視図である。
【図１１】図９の断面図である。
【図１２】この発明の実施の形態２を示す電気掃除機の集塵ケースが装着される集塵ケース収納部の斜視図である。
【図１３】この発明の実施の形態２を示す電気掃除機の電気掃除機の正面図である。
【図１４】この発明の実施の形態２を示す電気掃除機の電気掃除機の集塵ケースを装着した部分の上面図である。
【図１５】この発明の実施の形態２を示す電気掃除機の電気掃除機の集塵ケースを装着した部分の断面図である。
【符号の説明】
【００４１】
１  電気掃除機、２  掃除機本体、３  吸込具、４  吸込風路、５  延長管、６  ホース、７  手元ハンドル、８  本体接続具、９  本体蓋、１０  集塵ケース収納部、１１  集塵ケース、１２  電動送風機、１３  導入口、１４  集塵ケース本体、１５  蓋、１６  ハンドル、１７  フィルター部、１８  枠部、１９  サイクロン式集塵アセンブリー、２０  旋回室形成部、２１  集塵室形成部、２２  隔壁、２３  係止用凸部、２４  引っかけ穴、２５  保持部、２６  係止用凹部、２７  ボタン、２８  ロック爪、２９  ヒンジ、３０  旋回室、３１  集塵室、３２  紙パックアセンブリー、３３  紙パック保持体、３４  紙パック、３５  フィルター袋、３６  台紙、３７  紙パック台紙取付部、３８  クランプ、３９  保持部、４０  保持部、４１  係止用凸部、４２  引っかけ穴、４３  吸込口、４４  突部、４５  ガイド溝、４６  ロック凸部、４７  ロック穴。
【図１】
2006043203.tif 000003
【図２】
2006043203.tif 000004
【図３】
2006043203.tif 000005
【図４】
2006043203.tif 000006
【図５】
2006043203.tif 000007
【図６】
2006043203.tif 000008
【図７】
2006043203.tif 000009
【図８】
2006043203.tif 000010
【図９】
2006043203.tif 000011
【図１０】
2006043203.tif 000012
【図１１】
2006043203.tif 000013
【図１２】
2006043203.tif 000014
【図１３】
2006043203.tif 000015
【図１４】
2006043203.tif 000016
【図１５】
2006043203.tif 000017